(57)【要約】【課題】大当たり遊技状態に発展する可能性の大小を意味する「期待度」の設定に遊技者が参加することができるパチンコ機を提供すること。【解決手段】図柄表示装置３の表示器４において、「完全ハズレ」、「リーチＡ」、「リーチＢ」、「リーチＣ」、「リーチＤ」、「「大当たり」表示」の組合せで構成されている種々の映像内容を伴って変動・表示させる図柄を、仮停止図柄と最終停止図柄の２段階で変動・表示させている。さらに、「大当たり遊技状態」となる際の仮停止図柄がボタンスイッチ２０１で選択されたものになる確率を高くする一方（Ｓ２０５：Ｙｅｓ）、「大当たり遊技状態」とならなかった際の仮停止図柄がボタンスイッチ２０１で選択されたものになる確率を低くしている（Ｓ２０５：Ｎｏ）。【選択図】  図２７
2004275449.tif 000002
【特許請求の範囲】
【請求項１】
所定範囲を周期的にカウントアップしていく大当たりカウンタの値を、パチンコ球が始動口に入賞したタイミングで取得値として確保することにより、前記取得値が予め定められた大当たり値と一致するか否かの判定を行い、前記取得値が前記大当たり値と一致するときは、遊技者に有利な大当たり遊技状態とするメイン制御手段と、
前記メイン制御手段から前記判定時に送信される最終停止図柄に関する情報や変動パターンに関する情報に基づいて、図柄表示装置の表示器に種々の演出内容を伴って図柄を変動・表示させる図柄表示制御手段と、を有するパチンコ機において、
前記演出内容又は前記図柄を選択するための操作ボタンを備え、
前記操作ボタンからの信号を前記図柄表示制御手段に入力させることにより、前記大当たり遊技状態となる際の前記演出内容又は前記図柄が前記操作ボタンで選択されたものになる確率を高くしたこと、を特徴とするパチンコ機。
【請求項２】
請求項１に記載するパチンコ機であって、
前記演出内容が予告又はリーチ演出であること、を特徴とするパチンコ機。
【請求項３】
請求項２に記載するパチンコ機であって、
前記演出内容が予告である場合には、前記図柄表示制御手段に備えられた複数の予告選択テーブルを切り替えることにより、前記大当たり遊技状態となる際の前記演出内容が前記操作ボタンで選択されたものになる確率を高くしたこと、を特徴とするパチンコ機。
【請求項４】
請求項２に記載するパチンコ機であって、
前記演出内容がリーチ演出である場合には、前記大当たり遊技状態となる際の前記変動パターンに関する情報の各々に複数のリーチ演出を対応させた演出選択テーブルを前記図柄表示制御手段に備えることにより、前記大当たり遊技状態となる際の前記演出内容が前記操作ボタンで選択されたものになる確率を高くしたこと、を特徴とするパチンコ機。
【請求項５】
請求項１に記載するパチンコ機であって、
前記図柄が前記操作ボタンで選択された場合には、大当たり図柄が前記操作ボタンで選択されたものになる確率を高くし、完全ハズレ図柄が前記操作ボタンで選択されたものになる確率を低くしたこと、を特徴とするパチンコ機。
【請求項６】
請求項５に記載するパチンコ機であって、
前記図柄表示制御手段は、
前記メイン制御手段から前記判定時に送信される最終停止図柄に関する情報や変動パターンに関する情報に基づいて、図柄表示装置の表示器に種々の演出内容を伴って変動・表示させる図柄を途中停止図柄と最終停止図柄の２段階で変動・表示させ、前記大当たり遊技状態となる際の前記途中停止図柄が前記操作ボタンで選択されたものになる確率を高くする一方、前記大当たり遊技状態とならなかった際の前記途中停止図柄が前記操作ボタンで選択されたものになる確率を低くしたこと、を特徴とするパチンコ機。
【発明の詳細な説明】
【０００１】
【発明の属する技術分野】
本発明は、「リーチ状態」（最終停止図柄が変動中にその他の図柄が同じもので停止・表示された状態）が出現するパチンコ機に関する。
【０００２】
【従来の技術】
従来、第１種のパチンコ機においては、変動する特別変動図柄のうち、２つの図柄が同じもので停止すると、遊技者側から見れば、変動中の最終停止図柄も同じ図柄で停止して、大当たり遊技状態に発展する可能性があるので、このようなリーチ状態は、期待感を抱かせるものである。さらに、近年のパチンコ機では、リーチ状態に到達するまでの間に、特別変動図柄の変動とともに表示される映像内容が複数存在しており、各映像内容に対して、大当たり遊技状態に発展する可能性に格差（以下、「期待度」という）を設けている（例えば、特許文献１参照）。
【０００３】
【特許文献１】
特開２００２−３３６４３４号公報
【０００４】
【発明が解決しようとする課題】
しかしながら、各映像内容の「期待度」は、パチンコ機側で予め設定されており、遊技者側で設定することはできなかった。
【０００５】
そこで、本発明は、上述した点を鑑みてなされたものであり、大当たり遊技状態に発展する可能性の大小を意味する「期待度」の設定を遊技者が参加することができるパチンコ機を提供することを課題とする。
【０００６】
【課題を解決するための手段】
この課題を解決するために成された請求項１に係る発明は、所定範囲を周期的にカウントアップしていく大当たりカウンタの値を、パチンコ球が始動口に入賞したタイミングで取得値として確保することにより、前記取得値が予め定められた大当たり値と一致するか否かの判定を行い、前記取得値が前記大当たり値と一致するときは、遊技者に有利な大当たり遊技状態とするメイン制御手段と、
前記メイン制御手段から前記判定時に送信される最終停止図柄に関する情報や変動パターンに関する情報に基づいて、図柄表示装置の表示器に種々の演出内容を伴って図柄を変動・表示させる図柄表示制御手段と、を有するパチンコ機において、前記演出内容又は前記図柄を選択するための操作ボタンを備え、前記操作ボタンからの信号を前記図柄表示制御手段に入力させることにより、前記大当たり遊技状態となる際の前記演出内容又は前記図柄が前記操作ボタンで選択されたものになる確率を高くしたこと、を特徴としている。
【０００７】
また、請求項２に係る発明は、請求項１に記載するパチンコ機であって、前記演出内容が予告又はリーチ演出であること、を特徴としている。
【０００８】
また、請求項３に係る発明は、請求項２に記載するパチンコ機であって、前記演出内容が予告である場合には、前記図柄表示制御手段に備えられた複数の予告選択テーブルを切り替えることにより、前記大当たり遊技状態となる際の前記演出内容が前記操作ボタンで選択されたものになる確率を高くしたこと、を特徴としている。
【０００９】
また、請求項４に係る発明は、請求項２に記載するパチンコ機であって、前記演出内容がリーチ演出である場合には、前記大当たり遊技状態となる際の前記変動パターンに関する情報の各々に複数のリーチ演出を対応させた演出選択テーブルを前記図柄表示制御手段に備えることにより、前記大当たり遊技状態となる際の前記演出内容が前記操作ボタンで選択されたものになる確率を高くしたこと、を特徴としている。
【００１０】
また、請求項５の係る発明は、請求項１に記載するパチンコ機であって、前記図柄が前記操作ボタンで選択された場合には、大当たり図柄が前記操作ボタンで選択されたものになる確率を高くし、完全ハズレ図柄が前記操作ボタンで選択されたものになる確率を低くしたこと、を特徴としている。
【００１１】
また、請求項６に係る発明は、請求項５に記載するパチンコ機であって、前記図柄表示制御手段は、前記メイン制御手段から前記判定時に送信される最終停止図柄に関する情報や変動パターンに関する情報に基づいて、図柄表示装置の表示器に種々の演出内容を伴って変動・表示させる図柄を途中停止図柄と最終停止図柄の２段階で変動・表示させ、前記大当たり遊技状態となる際の前記途中停止図柄が前記操作ボタンで選択されたものになる確率を高くする一方、前記大当たり遊技状態とならなかった際の前記途中停止図柄が前記操作ボタンで選択されたものになる確率を低くしたこと、を特徴としている。
【００１２】
すなわち、本発明のパチンコ機では、演出内容又は図柄を選択するための操作ボタンを備え、操作ボタンからの信号を図柄表示制御手段に入力させることにより、大当たり遊技状態となる際の演出内容又は図柄が操作ボタンで選択されたものになる確率を高くしているので、大当たり遊技状態に発展する可能性の大小を意味する「期待度」の設定を遊技者が参加することができるとともに、異なる遊技性を与えることができる。
【００１３】
【発明の実施の形態】
以下、本発明の実施の形態を図面を参照にして説明する。図１２は、本実施の形態のパチンコ機１の正面図である。本実施の形態のパチンコ機１は、第１種のパチンコ機であって、図１２に示すように、遊技盤２の上に、表示器４を備えた図柄表示装置３や、始動口５、大入賞口６、ボタンスイッチ２０１などが設けられたものである。すなわち、本実施の形態のパチンコ機１では、始動口５にパチンコ球が入賞すると、図柄表示装置３の表示器４に表示される３つの図柄が変動し、その後、変動中の３つの図柄が所定の組合せで停止した場合には、所定の開放パターンで大入賞口６が作動する、「大当たり遊技状態」になるものである。
【００１４】
この点、図柄表示装置３の表示器４に表示される図柄について説明すると、当該図柄は、ここでは、図１３に示すように、「１」，「２」，「３」，「４」，「５」，「６」，「７」，「８」，「９」，「１０」，「１１」，「１２」の１２種類が用意されている。そして、この１２種類の図柄は、図１４に示すように、図柄表示装置３の表示器４に設けられた左図柄表示領域７及び、中図柄表示領域８、右図柄表示領域９のそれぞれにおいて、原則、「１」→「２」→「３」→「４」→「５」→「６」→「７」→「８」→「９」→「１０」→「１１」→「１２」→「１」→…の順番で変動した後、左図柄表示領域７、中図柄表示領域８、右図柄表示領域９の順番で停止する。
以下、左図柄表示領域７、中図柄表示領域８、右図柄表示領域９に停止して表示された図柄の組合せを「最終停止図柄」という。
【００１５】
このとき、左図柄表示領域７、中図柄表示領域８、及び右図柄表示領域９に停止・表示された各図柄が、例えば、図１５に示す１２組の組合せのように、全て同じである場合を、ここでは、所定の組合せで停止した場合としており、所定の組合せで停止した後は、所定の開放パターンで大入賞口６が作動する、「大当たり遊技状態」になる。
以下、図１５に示す１２組の組合せの図柄を「大当たり図柄」という。
【００１６】
従って、図１６に示すように、左図柄表示領域７及び中図柄表示領域８が同じ図柄で停止・表示され、且つ、右図柄表示領域９に表示されている図柄が変動中は、図１５に示す所定の組合せのいずれか一つで停止して「大当たり遊技状態」に移行する可能性があり、このとき、遊技者は期待感を有することになる。そこで、遊技者が期待感を有するような状態、すなわち、図１６に示すように、左図柄表示領域７及び中図柄表示領域８が同じ図柄で停止・表示され、且つ、右図柄表示領域９に表示されている図柄が変動中の状態を、「リーチ状態」と呼んでいる。また、左図柄表示領域７及び中図柄表示領域８が同じ図柄で停止・表示され、且つ、右図柄表示領域９が違う図柄で停止・表示された状態の組合せの図柄を、「ハズレリーチ図柄」と呼んでいる。さらに、この「リーチ状態」では、遊技者の期待感を煽るために、図柄表示装置３の表示器４において、各種の「リーチ映像」が表示される。ここでは、「リーチ映像」は、リーチＡ、リーチＢ、及びリーチＣの３種類が用意されており、それらのいずれかが表示される。
【００１７】
そして、図柄表示装置３の表示器４に表示される図柄の変動・停止の動作は、始動口５にパチンコ球が入賞した直後に取得される２つのカウンタの値等に基づいて決定される。ここでは、図柄表示装置３の表示器４に表示される３つの図柄を所定の組合せ（図１５に示すもの）で停止させるか否か、すなわち、「大当たり遊技状態」にするか否かを、始動口５にパチンコ球が入賞した直後に取得される一方のカウンタの値に基づいて決定しており、さらに、図柄表示装置３の表示器４に表示される３つの各図柄について、「１」，「２」，「３」，「４」，「５」，「６」，「７」，「８」，「９」，「１０」，「１１」，「１２」の１２種類のうち、どの数字の「大当たり図柄」にするかについては、始動口５にパチンコ球が入賞した直後に取得される他方のカウンタの値に基づいて決定している。
【００１８】
また、図柄表示装置３の表示器４に表示される図柄の変動・停止の動作は、上述したように、始動口５にパチンコ球が入賞したことをトリガとして開始されるものであるが、図柄表示装置３の表示器４に表示される図柄が変動中に、さらに、始動口５にパチンコ球が入賞したときは、その入賞時に取得した２つのカウンタの値を記憶・保留しておき、当該変動中の図柄が停止した直後に、又は、当該変動中の図柄が所定の組合せ（図１５に示すもの）で停止した場合には「大当たり遊技状態」が終了した直後に、記憶・保留していた２つのカウンタの値に基づいて、図柄表示装置３の表示器４に表示される図柄の変動・停止の動作を開始する。尚、ここでは、記憶・保留される２つのカウンタの値は、４組まで保有することが可能である。
【００１９】
この点を詳しく説明すると、本実施の形態のパチンコ機１では、始動口５にパチンコ球が入賞した直後に取得される２つのカウンタの値に対し、図１７の（ａ）に示すように、５組まで記憶・保留できる５つの記憶領域Ｅ０，Ｅ１，Ｅ２，Ｅ３，Ｅ４が確保され、それらのうち、４つの記憶領域Ｅ１，Ｅ２，Ｅ３，Ｅ４については、それぞれに対応する４個の保留ランプ６１が図柄表示装置３の上部に設けられている（図１４参照）。そして、始動口５にパチンコ球が入賞すると、図１７の（ｂ）に示すように、その入賞時に取得した１組のカウンタの値Ｄ０を記憶領域Ｅ０に記憶するとともに、記憶領域Ｅ０に記憶された１組のカウンタの値Ｄ０に基づいて、図柄表示装置３の表示器４に表示される図柄の変動・停止の動作を開始する。
【００２０】
その後、図柄表示装置３の表示器４に表示される図柄が変動中に、さらに、始動口５にパチンコ球が入賞すると、図１７の（ｃ）に示すように、その入賞時に取得した１組のカウンタの値Ｄ１を記憶領域Ｅ１に記憶・保留するとともに、記憶領域Ｅ１に対応する１個の保留ランプ６１を点灯させる。尚、図１７では、保留ランプ６１の黒塗りは点灯を示し、白抜きは消灯を示す。また、その後、図柄表示装置３の表示器４に表示される図柄が変動中に、さらに、始動口５にパチンコ球が入賞すると、図１７の（ｄ）に示すように、その入賞時に取得した１組のカウンタの値Ｄ２を記憶領域Ｅ２に記憶・保留するとともに、記憶領域Ｅ２に対応する１個の保留ランプ６１を点灯させる。
【００２１】
また、その後、図柄表示装置３の表示器４に表示される図柄が変動中に、さらに、始動口５にパチンコ球が入賞すると、図１７の（ｅ）に示すように、その入賞時に取得した１組のカウンタの値Ｄ３を記憶領域Ｅ３に記憶・保留するとともに、記憶領域Ｅ３に対応する１個の保留ランプ６１を点灯させる。また、その後、図柄表示装置３の表示器４に表示される図柄が変動中に、さらに、始動口５にパチンコ球が入賞すると、図１７の（ｆ）に示すように、その入賞時に取得した１組のカウンタの値Ｄ４を記憶領域Ｅ４に記憶・保留するとともに、記憶領域Ｅ４に対応する１個の保留ランプ６１を点灯させる。
【００２２】
尚、その後は、図柄表示装置３の表示器４に表示される図柄が変動中に、さらに、始動口５にパチンコ球が入賞しても、５つの記憶領域Ｅ０，Ｅ１，Ｅ２，Ｅ３，Ｅ４のそれぞれに１組のカウンタの値Ｄ０，Ｄ１，Ｄ２，Ｄ３，Ｄ４が記憶されており、その入賞時に取得されるべき１組のカウンタの値を記憶・保留する領域がないので、その入賞時に１組のカウンタの値を取得することは行わない。
【００２３】
一方、図１７の（ｆ）に示すように、５つの記憶領域Ｅ０，Ｅ１，Ｅ２，Ｅ３，Ｅ４のそれぞれに１組のカウンタの値Ｄ０，Ｄ１，Ｄ２，Ｄ３，Ｄ４が記憶された状態において、記憶領域Ｅ０に記憶された１組のカウンタの値Ｄ０に基づいて、図柄表示装置３の表示器４に表示される図柄の変動・停止の動作が終了したときは、図１８の（ａ）に示すように、記憶領域Ｅ０を空にするとともに、記憶領域Ｅ１に記憶された１組のカウンタの値Ｄ１を記憶領域Ｅ０に上書きし、記憶領域Ｅ２に記憶された１組のカウンタの値Ｄ２を記憶領域Ｅ１に上書きし、記憶領域Ｅ３に記憶された１組のカウンタの値Ｄ３を記憶領域Ｅ２に上書きし、記憶領域Ｅ４に記憶された１組のカウンタの値Ｄ４を記憶領域Ｅ３に上書きし、記憶領域Ｅ４を空にし、記憶領域Ｅ４に対応する１個の保留ランプ６１を消灯させる。尚、図１８でも、保留ランプ６１の黒塗りは点灯を示し、白抜きは消灯を示す。この結果、図１８の（ｂ）に示すようになり、記憶領域Ｅ０に記憶された１組のカウンタの値Ｄ１に基づいて、図柄表示装置３の表示器４に表示される図柄の変動・停止の動作が開始される。このとき、記憶領域Ｅ４は空であるので、始動口５にパチンコ球が入賞すれば、その入賞時に取得した１組のカウンタの値を記憶領域Ｅ４に記憶・保留することは可能である。
【００２４】
また、図１８の（ｂ）に示すように、４つの記憶領域Ｅ０，Ｅ１，Ｅ２，Ｅ３のそれぞれに１組のカウンタの値Ｄ１，Ｄ２，Ｄ３，Ｄ４が記憶された状態において、記憶領域Ｅ０に記憶された１組のカウンタの値Ｄ１に基づいて、図柄表示装置３の表示器４に表示される図柄の変動・停止の動作が終了したときは、記憶領域Ｅ０を空にするとともに、記憶領域Ｅ１に記憶された１組のカウンタの値Ｄ２を記憶領域Ｅ０に上書きし、記憶領域Ｅ２に記憶された１組のカウンタの値Ｄ３を記憶領域Ｅ１に上書きし、記憶領域Ｅ３に記憶された１組のカウンタの値Ｄ４を記憶領域Ｅ２に上書きし、記憶領域Ｅ３を空にし、記憶領域Ｅ３に対応する１個の保留ランプ６１を消灯させる。この結果、図１８の（ｃ）に示すようになり、記憶領域Ｅ０に記憶された１組のカウンタの値Ｄ２に基づいて、図柄表示装置３の表示器４に表示される図柄の変動・停止の動作が開始される。このとき、記憶領域Ｅ３，Ｅ４は空であるので、始動口５にパチンコ球が入賞すれば、その入賞時に取得した１組のカウンタの値を記憶領域Ｅ３に記憶・保留することは可能であり、さらに、始動口５にパチンコ球が入賞すれば、その入賞時に取得した１組のカウンタの値を記憶領域Ｅ４に記憶・保留することも可能である。
【００２５】
また、図１８の（ｃ）に示すように、３つの記憶領域Ｅ０，Ｅ１，Ｅ２のそれぞれに１組のカウンタの値Ｄ２，Ｄ３，Ｄ４が記憶された状態において、記憶領域Ｅ０に記憶された１組のカウンタの値Ｄ２に基づいて、図柄表示装置３の表示器４に表示される図柄の変動・停止の動作が終了したときは、記憶領域Ｅ０を空にするとともに、記憶領域Ｅ１に記憶された１組のカウンタの値Ｄ３を記憶領域Ｅ０に上書きし、記憶領域Ｅ２に記憶された１組のカウンタの値Ｄ４を記憶領域Ｅ１に上書きし、記憶領域Ｅ２を空にし、記憶領域Ｅ２に対応する１個の保留ランプ６１を消灯させる。この結果、図１８の（ｄ）に示すようになり、記憶領域Ｅ０に記憶された１組のカウンタの値Ｄ３に基づいて、図柄表示装置３の表示器４に表示される図柄の変動・停止の動作が開始される。このとき、記憶領域Ｅ２，Ｅ３，Ｅ４は空であるので、始動口５にパチンコ球が入賞すれば、その入賞時に取得した１組のカウンタの値を記憶領域Ｅ２に記憶・保留することは可能であり、さらに、始動口５にパチンコ球が入賞すれば、その入賞時に取得した１組のカウンタの値を記憶領域Ｅ３に記憶・保留することも可能であり、さらに、始動口５にパチンコ球が入賞すれば、その入賞時に取得した１組のカウンタの値を記憶領域Ｅ４に記憶・保留することも可能である。
【００２６】
また、図１８の（ｄ）に示すように、２つの記憶領域Ｅ０，Ｅ１のそれぞれに１組のカウンタの値Ｄ３，Ｄ４が記憶された状態において、記憶領域Ｅ０に記憶された１組のカウンタの値Ｄ３に基づいて、図柄表示装置３の表示器４に表示される図柄の変動・停止の動作が終了したときは、記憶領域Ｅ０を空にするとともに、記憶領域Ｅ１に記憶された１組のカウンタの値Ｄ４を記憶領域Ｅ０に上書きし、記憶領域Ｅ１を空にし、記憶領域Ｅ１に対応する１個の保留ランプ６１を消灯させる。この結果、図１８の（ｅ）に示すようになり、記憶領域Ｅ０に記憶された１組のカウンタの値Ｄ４に基づいて、図柄表示装置３の表示器４に表示される図柄の変動・停止の動作が開始される。このとき、記憶領域Ｅ１，Ｅ２，Ｅ３，Ｅ４は空であるので、始動口５にパチンコ球が入賞すれば、その入賞時に取得した１組のカウンタの値を記憶領域Ｅ１に記憶・保留することは可能であり、さらに、始動口５にパチンコ球が入賞すれば、その入賞時に取得した１組のカウンタの値を記憶領域Ｅ２に記憶・保留することも可能であり、さらに、始動口５にパチンコ球が入賞すれば、その入賞時に取得した１組のカウンタの値を記憶領域Ｅ３に記憶・保留することが可能であり、さらに、始動口５にパチンコ球が入賞すれば、その入賞時に取得した１組のカウンタの値を記憶領域Ｅ４に記憶・保留することも可能である。
【００２７】
もっとも、図１８に示す場合において、図柄表示装置３の表示器４に表示される図柄の変動・停止の動作が終了したときに、所定の組合せ（図１５に示すもの）で停止した場合には、図柄表示装置３の表示器４に表示される図柄の変動・停止の動作は、図柄表示装置３の表示器４に表示される図柄の変動・停止の動作が終了したときではなく、当該所定の組合せ（図１５に示すもの）に対する「大当たり遊技状態」が終了した直後に、記憶領域Ｅ０に新たに記憶された１組のカウンタの値Ｄ１，Ｄ２，Ｄ３，Ｄ４などに基づいて開始される。
【００２８】
また、図１９は、本実施の形態のパチンコ機１のブロック図である。図１９に示すように、本実施の形態のパチンコ機１では、メイン基板２０と、表示サブ基板３０、ランプ制御基板４０、賞球サブ基板５０などが設けられている。この点、メイン基板２０には、メイン制御用ＣＰＵ２１や、メイン制御用ＲＯＭ２２、メイン制御用ＲＡＭ２３、入力・出力ポート２４などが搭載されている。さらに、入力・出力ポート２４には、始動口５（図１２参照）にパチンコ球が入賞したことを検知するための始動口スイッチ６３や、大入賞口６（図１２参照）にパチンコ球が入賞したことを検知するための大入賞口スイッチ６４、大入賞口６（図１２参照）のＶゾーン（図示せず）にパチンコ球が入賞したことを検知するためのＶゾーンセンサ６５などが接続されている。尚、図１７及び図１８に記載された５つの記憶領域Ｅ０，Ｅ１，Ｅ２，Ｅ３，Ｅ４や、始動口５（図１２参照）にパチンコ球が入賞した時にその値が取得される２つのカウンタなどは、メイン制御用ＲＡＭ２３に確保されている。
【００２９】
また、表示サブ基板３０には、図柄表示制御用ＣＰＵ３１や、図柄表示制御用ＲＯＭ３２、図柄表示制御用ＲＡＭ３３、ボタンスイッチ２０１が接続された入力・出力ポート３４、ＶＤＰ３５などが搭載されており、図柄表示制御用ＣＰＵ３１は、メイン基板２０から送られてきた情報に従って、図柄表示制御用ＲＯＭ３２及び図柄表示制御用ＲＡＭ３３などに記憶された制御方法その他の技術情報に基づき、ＶＤＰ３５に接続された表示器５の表示内容を制御する。
【００３０】
また、ランプ制御基板４０には、ランプ制御用ＣＰＵ４１や、ランプ制御用ＲＯＭ４２、ランプ制御用ＲＡＭ４３、入力・出力ポート４４、などが搭載されている。さらに、入力・出力ポート４４には、４個の保留ランプ６１（図１２参照）やその他のランプなどが接続されている。そして、ランプ制御用ＣＰＵ４１は、メイン基板２０から送られてきた命令に従って、ランプ制御用ＲＯＭ４２及びランプ制御用ＲＡＭ４３などに記憶された制御方法その他の技術情報に基づき、入力・出力ポート４４に接続された４個の保留ランプ６１（図１２参照）やその他のランプなど点灯内容を制御する。
【００３１】
また、賞球サブ基板５０には、賞球制御用ＣＰＵ５１や、賞球制御用ＲＯＭ５２、賞球制御用ＲＡＭ５３、入力・出力ポート５４などが搭載されている。さらに、入力・出力ポート５４には、始動口５（図１２参照）や大入賞口６（図１２参照）にパチンコ球が入賞した際に所定数のパチンコ球を払い出すための賞球払出装置６２が接続されている。そして、賞球制御用ＣＰＵ５１は、メイン基板２０から送られてきた命令に従って、賞球制御用ＲＯＭ５２及び賞球制御用ＲＡＭ５３などに記憶された制御方法その他の技術情報に基づき、賞球払出装置６２の動作内容を制御する。
【００３２】
尚、上述した本実施の形態のパチンコ機１の動作内容は、メイン基板２０などにおいて、後述するフローチャートが処理されることにより実行される。
【００３３】
次に、本実施の形態のパチンコ機１において、メイン基板２０で行われるプログラムについて説明する。メイン基板２０で行われるプログラムには、電源投入直後に作動するメインプログラムと、一定時間毎（例えば、４ｍｓｅｃ毎）に作動する割込プログラムがある。
【００３４】
図１は、メイン基板２０で行われるメインプログラムのフローチャート図である。図１のメインプログラムは、電源投入直後に作動するものであり、電源が投入されると、先ず、Ｓ１１において、バックアップ復帰処理があるか否かを判断する。ここで、バックアップ復帰処理があると判断する場合には（Ｓ１１：Ｙｅｓ）、Ｓ１２に進んで、バックアップのデータを復帰させる処理を行った後、Ｓ１３に進む。一方、バックアップ復帰処理がないと判断する場合には（Ｓ１１：Ｎｏ）、何もすることなく、Ｓ１３に進む。そして、Ｓ１３では、図柄カウンタや、変動パターンカウンタ、リーチカウンタ、左図柄カウンタ、中図柄カウンタ、右図柄カウンタなど、メイン基板２０での判定で使用するカウンタのカウントアップを行う。さらに、Ｓ１４において、初期値変更カウンタのカウンタアップを行った後、Ｓ１３に戻り、上述したＳ１３及びＳ１４のカウントアップ処理を繰り返し行う。
【００３５】
この点、図柄カウンタや、変動パターンカウンタ、初期値変更カウンタ、リーチカウンタ、左図柄カウンタ、中図柄カウンタ、右図柄カウンタなどは、図１９のメイン制御用ＲＡＭ２３などに確保されるものである。そして、図柄カウンタは、図２０に示すように、「１」〜「１２」の範囲を「１」毎にカウントアップしていく円弧カウンタであり、図柄表示装置３の表示器４に表示される「大当たり図柄」を意味するものである。また、左図柄カウンタと、中図柄カウンタ、右図柄カウンタは、図２３に示すように、「１」〜「１２」の範囲を「１」毎にカウントアップしていく円弧カウンタであり、それらの値の組合せは、図１５に示す１２組の組合せを除けば、図柄表示装置３の表示器４に表示される「大当たり図柄」以外のものを意味するものである。また、変動パターンカウンタは、図２５に示すように、「０」〜「９」の範囲を「１」毎にカウントアップしていく円弧カウンタである。また、初期値変更カウンタは、図２６に示すように、「１」〜「２９９」の範囲を「１」毎にカウントアップしていく円弧カウンタである。
【００３６】
一方、図２は、メイン基板２０で行われる割込プログラムのフローチャート図である。図２の割込プログラムは、電源投入後の一定時間毎（例えば、４ｍｓｅｃ毎）に作動するものであり、スタートからリターンに至るまでの所要時間は、最大でも、一定時間（例えば、４ｍｓｅｃ）を越えることがない。図２の割込プログラムでは、先ず、Ｓ２１において、大当たりカウンタのカウントアップを行う。その後は、Ｓ２２の始動入賞処理と、Ｓ２３の結果報知処置、Ｓ２４の大当たり遊技処理、Ｓ２５の大当たりカウンタの初期値変更処理、Ｓ２６の賞球払出処理、Ｓ２７のハズレ図柄処理を順に行う。そして、Ｓ２７のハズレ図柄処理の後は、この割込プログラムが次に作動するまでの間、メイン基板２０では、図１のメインプログラムのＳ１３及びＳ１４が繰り返し行われる。
【００３７】
この点、大当たりカウンタとは、図１９のメイン制御用ＲＡＭ２３などに確保されるものである。そして、大当たりカウンタは、図２６に示すように、「１」〜「２９９」の範囲を「１」毎にカウントアップしていく円弧カウンタであるが、上述した初期値変更カウンタとは別に確保されたものであり、さらに、その機能上、上述した初期値変更カウンタと同じ値を同時にとることがない。ここで、大当たりカウンタの値の意味について説明すると、始動口５にパチンコ球が入賞した時に「７」を取得した場合には、図柄表示装置３の表示器４に表示される３つの図柄が、図１５に示す１２個の所定の組合せのいずれか一つに停止して、所定の開放パターンで大入賞口６が作動する、「大当たり遊技状態」になる（以下、「大当たり」という）。また、後述する確変状態において、始動口５にパチンコ球が入賞した時に「７」，「５０」，「１００」，「１５０」，「２００」，「２５０」のいずれか一つを取得した場合にも、「大当たり」となる。尚、図柄表示装置３の表示器４に表示される３つの図柄が、図１６に示す「リーチ状態」に移行するが、その後は、図１５に示す１２個の所定の組合せのいずれでもないものに停止して、「大当たり遊技状態」になることはないことを、「ハズレリーチ」という。また、図柄表示装置３の表示器４に表示される３つの図柄が、図１６に示す「リーチ状態」に移行することはなく、しかも、図１５に示す１２個の所定の組合せのいずれでもないものに停止して、「大当たり遊技状態」になることはないことを、「完全ハズレ」という。
【００３８】
次に、割込プログラムの始動入賞処理（図のＳ２２）について、図３のフローチャート図に基づいて説明する。図３に示すように、先ず、Ｓ３１において、始動口５にパチンコ球が入賞したか否かを判断する。この判断は、始動口５に設けられた始動口スイッチ６３がパチンコ球を検知したか否かによって行われる。ここで、始動口５にパチンコ球が入賞していないと判断する場合（Ｓ３１：Ｎｏ）には、図２の割込プログラムに戻るが、始動口５にパチンコ球が入賞したと判断する場合（Ｓ３１：Ｙｅｓ）には、Ｓ３２に進む。
【００３９】
Ｓ３２では、記憶の上限か否か、すなわち、記憶領域Ｅ４（図１７及び図１８参照）が空であるか否かを判断している。ここで、記憶領域Ｅ４（図１７及び図１８参照）が空でないと判断する場合には（Ｓ３２：Ｙｅｓ）、図２の割込プログラムに戻るが、記憶領域Ｅ４（図１７及び図１８参照）が空であると判断する場合には（Ｓ３２：Ｎｏ）、Ｓ３３に進む。Ｓ３３では、現在の大当たりカウンタの値と現在の図柄カウンタの値を取得するとともに、図１７の（ａ）〜（ｆ）のいずれか一つに示すようにして、５つの記憶領域Ｅ０，Ｅ１，Ｅ２，Ｅ３，Ｅ４のいずれかに１組のカウンタの値として記憶した後、Ｓ３７に進む。
【００４０】
Ｓ３７では、記憶があるか否か、すなわち、記憶領域Ｅ０（図１７及び図１８参照）に１組のカウンタの値が記憶されているか否かを判断している。ここで、図１７の（ａ）に示すように、記憶領域Ｅ０に１組のカウンタの値が記憶されていないと判断する場合には（Ｓ３７：Ｎｏ）、図２の割込プログラムに戻るが、図１７の（ｂ）〜（ｅ）に示すように、記憶領域Ｅ０に１組のカウンタの値が記憶されていると判断する場合には（Ｓ３７：Ｙｅｓ）、Ｓ３６に進む。
【００４１】
Ｓ３６では、図１７の（ｃ）〜（ｆ）に示すように、記憶領域Ｅ１に１組のカウンタの値を記憶したときは記憶領域Ｅ１に対応する１個の保留ランプ６１を点灯させた後、又は、記憶領域Ｅ２に１組のカウンタの値を記憶したときは記憶領域Ｅ２に対応する１個の保留ランプ６１を点灯させた後、記憶領域Ｅ３に１組のカウンタの値を記憶したときは記憶領域Ｅ３に対応する１個の保留ランプ６１を点灯させた後、記憶領域Ｅ４に１組のカウンタの値を記憶したときは記憶領域Ｅ４に対応する１個の保留ランプ６１を点灯させた後、図２の割込プログラムに戻る。
【００４２】
次に、割込プログラムの結果報知処理（図のＳ２３）について、図４のフローチャート図に基づいて説明する。図４に示すように、先ず、Ｓ６１において、図柄表示装置３の表示器４に表示される３つの図柄が変動中であるか否かを判断している。ここで、図柄表示装置３の表示器４に表示される３つの図柄が変動中であると判断する場合には（Ｓ６１：Ｙｅｓ）、Ｓ６２に進んで、当該図柄の変動時間が終了したか否かを判断する。ここで、当該図柄の変動時間が終了しないと判断した場合には（Ｓ６２：Ｎｏ）、何もすることなく、図２の割込プログラムに戻るが、当該図柄の変動時間が終了したと判断した場合には（Ｓ６２：Ｙｅｓ）、Ｓ６３に進んで、当該図柄の変動を停止させる命令を図１９の表示サブ基板３０に送信した後、図２の割込プログラムに戻る。
【００４３】
また、Ｓ６３では、５つの記憶領域Ｅ０，Ｅ１，Ｅ２，Ｅ３，Ｅ４についての記憶の書き換えが行われる。例えば、このとき、図１７の（ｆ）に示すように、５つの記憶領域Ｅ０，Ｅ１，Ｅ２，Ｅ３，Ｅ４の各々に一組のカウンタの値が記憶されている場合には、図１８の（ａ）を経た後に、図１８の（ｂ）に示すように、５つの記憶領域Ｅ０，Ｅ１，Ｅ２，Ｅ３，Ｅ４についての記憶の書き換えが行われる。また、このとき、図１８の（ｂ）に示すように、４つの記憶領域Ｅ０，Ｅ１，Ｅ２，Ｅ３の各々に一組のカウンタの値が記憶されている場合には、記憶領域Ｅ０を空にした後、図１８の（ｃ）に示すように、５つの記憶領域Ｅ０，Ｅ１，Ｅ２，Ｅ３，Ｅ４についての記憶の書き換えが行われる。
【００４４】
また、このとき、図１８の（ｃ）に示すように、３つの記憶領域Ｅ０，Ｅ１，Ｅ２の各々に一組のカウンタの値が記憶されている場合には、記憶領域Ｅ０を空にした後、図１８の（ｄ）に示すように、５つの記憶領域Ｅ０，Ｅ１，Ｅ２，Ｅ３，Ｅ４についての記憶の書き換えが行われる。また、このとき、図１８の（ｄ）に示すように、２つの記憶領域Ｅ０，Ｅ１の各々に一組のカウンタの値が記憶されている場合には、記憶領域Ｅ０を空にした後、図１８の（ｅ）に示すように、５つの記憶領域Ｅ０，Ｅ１，Ｅ２，Ｅ３，Ｅ４についての記憶の書き換えが行われる。また、このとき、図１８の（ｅ）に示すように、１つの記憶領域Ｅ０に一組のカウンタの値が記憶されている場合には、記憶領域Ｅ０を空にした後、図１７の（ａ）に示すように、５つの記憶領域Ｅ０，Ｅ１，Ｅ２，Ｅ３，Ｅ４についての記憶の書き換えが行われる。
【００４５】
また、Ｓ６１において、図柄表示装置３の表示器４に表示される３つの図柄が変動中でないと判断する場合には（Ｓ６１：Ｎｏ）、Ｓ６４に進んで、記憶があるか否か、すなわち、記憶領域Ｅ０（図１７及び図１８参照）に１組のカウンタの値が記憶されているか否かを判断している。ここで、図１７の（ａ）に示すように、記憶領域Ｅ０に１組のカウンタの値が記憶されていないと判断する場合には（Ｓ６４：Ｎｏ）、図２の割込プログラムに戻るが、図１７の（ｆ）や図１８の（ｂ）〜（ｅ）に示すように、記憶領域Ｅ０に１組のカウンタの値が記憶されていると判断する場合には（Ｓ６４：Ｙｅｓ）、Ｓ６６に進む。
【００４６】
Ｓ６６では、保留ランプ６１のいずれか一つが点灯しているか否かを判断する。ここで、保留ランプ６１の全てが点灯していないと判断する場合には（Ｓ６６：Ｎｏ）、何もすることなく、Ｓ６９に進むが、保留ランプ６１のいずれか一つが点灯していると判断する場合には（Ｓ６６：Ｙｅｓ）、Ｓ６７に進んで、点灯している保留ランプ６１のうち最も右側のものを１個消灯させる。
【００４７】
すなわち、このとき、図１８の（ａ）に示すように、４個の保留ランプ６１のうち全てが点灯している場合には、図１８の（ｂ）に示すように、記憶領域Ｅ４に対応する１個の保留ランプ６１を消灯させる。また、このとき、図１８の（ｂ）に示すように、４個の保留ランプ６１のうち３個が点灯している場合には、図１８の（ｃ）に示すように、記憶領域Ｅ３に対応する１個の保留ランプ６１を消灯させる。また、このとき、図１８の（ｃ）に示すように、４個の保留ランプ６１のうち２個が点灯している場合には、図１８の（ｄ）に示すように、記憶領域Ｅ２に対応する１個の保留ランプ６１を消灯させる。また、このとき、図１８の（ｄ）に示すように、４個の保留ランプ６１のうち１個が点灯している場合には、図１８の（ｅ）に示すように、記憶領域Ｅ１に対応する１個の保留ランプ６１を消灯させる。
【００４８】
そして、次のＳ６９では、現在の記憶領域Ｅ０に記憶された大当たりカウンタの値が大当たり値であるか否かであるか否かを判断している。
【００４９】
ここで、Ｓ６９の処理を図５に基づいて説明する。先ず、Ｓ１６１において、現在の記憶領域Ｅ０に記憶された大当たりカウンタの値を読み込む。次に、Ｓ１６２において、後述する確変状態であるか否かを判断する。ここで、確変状態でないと判断する場合には（Ｓ１６２：Ｎｏ）、Ｓ１６３に進んで、通常時の大当たり値である「７」を読み込む。この点、通常時の大当たり値である「７」は、メイン制御用ＲＯＭ２２に設けられた図６に示すテーブルから読み込まれる。その後、Ｓ１６４において、大当たりカウンタの値から通常時の大当たり値である「７」を減算し、Ｓ１６５において、その減算結果が「０」であるか否かを判断する。ここで、その減算結果が「０」であると判断する場合には（Ｓ１６５：Ｙｅｓ）、図４のＳ７０へ進むが、その減算結果が「０」でないと判断する場合には（Ｓ１６５：Ｎｏ）、図４のＳ７３へ進む。一方、確変状態であると判断する場合には（Ｓ１６２：Ｙｅｓ）、Ｓ１６６に進んで、確変時の大当たり値である「７」，「５０」，「１００」，「１５０」，「２００」，「２５０」を読み込む。この点、確変時の大当たり値である「７」，「５０」，「１００」，「１５０」，「２００」，「２５０」は、メイン制御用ＲＯＭ２２に設けられた図６に示すテーブルから読み込まれる。その後、Ｓ１６７において、大当たりカウンタの値から、確変時の大当たり値である「７」，「５０」，「１００」，「１５０」，「２００」，「２５０」をそれぞれ減算し、Ｓ１６８において、その６個の減算結果のうち「０」が一つでもあるか否かを判断する。ここで、その６個の減算結果のうち「０」が一つでもあると判断する場合には（Ｓ１６８：Ｙｅｓ）、図４のＳ７０へ進むが、その６個の減算結果のいずれも「０」でないと判断する場合には（Ｓ１６８：Ｎｏ）、図４のＳ７３へ進む。
【００５０】
図４のＳ７０では、現在の記憶領域Ｅ０に記憶された図柄カウンタの値から、図１５に示す１２組の「大当たり図柄」のうちいずれか一つを「最終停止図柄」として選ぶ。具体的には、上述したように、現在の記憶領域Ｅ０に記憶された図柄カウンタの値は、図２０に示すように、「１」〜「１２」の範囲を「１」毎にカウントアップしていくものであることから、図柄カウンタの値に統一した「大当たり図柄」を選ぶ。例えば、現在の記憶領域Ｅ０に記憶された図柄カウンタの値が「５」に相当する場合には、「５」「５」「５」の「大当たり図柄」を選ぶ。もちろん、現在の記憶領域Ｅ０に記憶された図柄カウンタの値が「９」に相当する場合には、「９」「９」「９」の「大当たり図柄」が選ばれる。そして、Ｓ７１において、現在の変動パターンカウンタ（図２５参照）の値を取得した後、Ｓ７２に進んで、現在の変動パターンカウンタ（図２５参照）の値と、図１０の変動パターン決定テーブルとから、変動パターンの番号を選択し、Ｓ８０に進む。
尚、図１０の変動パターン決定テーブルについては、後で詳細に説明する。
【００５１】
一方、Ｓ７３では、この時点で取得したリーチカウンタの値がリーチ値であるか否かを判断する。この点、リーチカウンタとは、図１９のメイン制御用ＲＡＭ２３などに確保されるものであり、図２１に示すように、「１」〜「１００」の範囲を「１」毎にカウントアップしていく円弧カウンタである。また、リーチ値は、図１９のメイン制御用ＲＡＭ２３などに確保されるものであり、図２２に示すように、「７」や、「１７」，「２７」，「３７」，「４７」，「５７」，「６７」，「７７」，「８７」，「９７」の１０個が記憶されている。そして、リーチカウンタの値が１０個のリーチ値のいずれかであると判断した場合には（Ｓ７３：Ｙｅｓ）、Ｓ７４に進む。
【００５２】
Ｓ７４では、後述するハズレリーチ図柄用記憶領域に記憶された「ハズレリーチ図柄」を「最終停止図柄」とする。そして、Ｓ７５において、現在の変動パターンカウンタ（図２５参照）の値を取得した後、Ｓ７６に進んで、現在の変動パターンカウンタ（図２５参照）の値と、図１０の変動パターン決定テーブルとから、変動パターンの番号を選択し、Ｓ８０に進む。
【００５３】
また、Ｓ７３において、リーチカウンタの値が１０個のリーチ値のいずれでもないと判断した場合には（Ｓ７３：Ｎｏ）、Ｓ７７に進む。Ｓ７７では、後述する完全ハズレ図柄用記憶領域に記憶された「完全ハズレ図柄」を「最終停止図柄」とする。この点、「完全ハズレ図柄」とは、「大当たり図柄」及び「ハズレリーチ図柄」以外のものをいう。そして、Ｓ７８において、現在の変動パターンカウンタ（図２５参照）の値を取得した後、Ｓ７９に進んで、現在の変動パターンカウンタ（図２５参照）の値と、図１０の変動パターン決定テーブルとから、変動パターンの番号を選択し、Ｓ８０に進む。
【００５４】
Ｓ８０では、図１９の表示サブ基板３０に対して、「最終停止図柄」に関する情報や、変動パターンの番号に関する情報を送信する。
このとき、図１９の表示サブ基板３０では、「最終停止図柄」に関する情報や、変動パターンの番号に関する情報、図１１の映像選択テーブルに基づいて、図柄表示装置３の表示器４に表示される３つの図柄の変動を開始させるとともに、図柄表示装置３の表示器４の表示内容を制御する。尚、図１１の映像選択テーブルについては、後で詳細に説明する。
そして、Ｓ８１において、変動時間の計数をスタートさせた後に、図２の割込プログラムに戻る。
【００５５】
ここで、図１０の変動パターン決定テーブルについて説明する。図１０の変動パターン決定テーブルは、図１９のメイン制御用ＲＯＭ２２に記憶されたものである。また、図１０の変動パターン決定テーブルにおいては、「１」〜「９」の７個の変動パターンの番号が用意されており、さらに、各変動パターンの番号には、図柄表示装置３の表示器４に表示される３つの図柄を変動・停止させるための演出時間が定められている。また、「当」と、「ハリ」、「完ハ」に区分けられている。
【００５６】
この点、「当」とは、現在の記憶領域Ｅ０に記憶された大当たりカウンタの値が「大当たり遊技状態」に移行するものであること、すなわち、大当たりカウンタの値が大当たり値（通常時は「７」、確変時は「７」，「５０」，「１００」，「１５０」，「２００」，「２５０」のいずれか）であることを意味する。従って、図４のＳ７２では、大当たりカウンタの値が大当たり値（通常時は「７」、確変時は「７」，「５０」，「１００」，「１５０」，「２００」，「２５０」のいずれか）であることから（Ｓ６９：Ｙｅｓ）、「５」、「６」、「７」、「９」のいずれかの変動パターンの番号が選択される。
【００５７】
さらに、このとき、変動パターンカウンタの値が「０」である場合は「５」の変動パターンの番号が選択され、変動パターンカウンタの値が「１」と「２」のいずれかである場合は「６」の変動パターンの番号が選択され、変動パターンカウンタの値が「３」〜「５」のいずれかである場合は「７」の変動パターンの番号が選択され、変動パターンカウンタの値が「４」〜「９」のいずれかである場合は「９」の変動パターンの番号が選択される。尚、テーブルに記載された分数は、このときの確率を意味する。
【００５８】
また、「ハリ」とは、大当たりカウンタの値が大当たり値（通常時は「７」、確変時は「７」，「５０」，「１００」，「１５０」，「２００」，「２５０」のいずれか）でなく、かつ、リーチカウンタの値が「７」，「１７」，「２７」，「３７」，「４７」，「５７」，「６７」，「７７」，「８７」，「９７」のいずれかであること、すなわち、「リーチ状態」に移行することを意味する。従って、図４のＳ７６では、大当たりカウンタの値が大当たり値（通常時は「７」、確変時は「７」，「５０」，「１００」，「１５０」，「２００」，「２５０」のいずれか）でなく、かつ、リーチカウンタの値が「７」，「１７」，「２７」，「３７」，「４７」，「５７」，「６７」，「７７」，「８７」，「９７」のいずれかであることから（Ｓ７３：Ｙｅｓ）、「２」、「３」、「４」、「８」のいずれかの変動パターンの番号が選択される。
【００５９】
さらに、このとき、変動パターンカウンタの値が「０」〜「４」のいずれかである場合は「２」の変動パターンの番号が選択され、変動パターンカウンタの値が「５」〜「６」のいずれかである場合は「３」の変動パターンの番号が選択され、変動パターンカウンタの値が「７」である場合は「４」の変動パターンの番号が選択され、変動パターンカウンタの値が「８」〜「９」のいずれかである場合は「３」の変動パターンの番号が選択される。尚、テーブルに記載された分数は、このときの確率を意味する。
【００６０】
また、「完ハ」とは、大当たりカウンタの値が大当たり値（通常時は「７」、確変時は「７」，「５０」，「１００」，「１５０」，「２００」，「２５０」のいずれか）でなく、かつ、リーチカウンタの値が「７」，「１７」，「２７」，「３７」，「４７」，「５７」，「６７」，「７７」，「８７」，「９７」のいずれでもないこと、すなわち、「完全ハズレ」に移行することを意味する。従って、図４のＳ７９では、大当たりカウンタの値が大当たり値（通常時は「７」、確変時は「７」，「５０」，「１００」，「１５０」，「２００」，「２５０」のいずれか）でなく、かつ、リーチカウンタの値が「７」，「１７」，「２７」，「３７」，「４７」，「５７」，「６７」，「７７」，「８７」，「９７」のいずれでもないことから（Ｓ７３：Ｎｏ）、「１」の変動パターンの番号が選択される。
【００６１】
もっとも、このときは、変動パターンカウンタの値が「０」〜「９」のいずれであっても、「１」の変動パターンの番号が選択される。尚、テーブルに記載された分数は、このときの確率を意味する。
【００６２】
次に、図１１の映像選択テーブルについて説明する。図１１の映像選択テーブルは、図１９の図柄表示制御用ＲＯＭ３２に記憶されたものである。図１１の映像選択テーブルにおいては、「１」〜「９」の９個の変動パターンの番号が用意されており、さらに、各変動パターンの番号には、映像内容（演出内容に相当するもの）が定められている。この点、変動パターンの番号は、図１０の変動パターン決定テーブルのものと対応するものである。
【００６３】
また、映像内容とは、図柄表示装置３の表示器４に表示される３つの図柄が変動・停止する際の、図柄表示装置３の表示器４に表示される映像内容をいう。
【００６４】
また、「完全ハズレ」とは、「完全ハズレ」のときに図柄表示装置３の表示器４に表示する映像を意味する。また、「リーチＡ」とは、「リーチ状態」のときに、図柄表示装置３の表示器４に表示する「リーチ映像」の種類であるリーチＡを意味する。また、「リーチＢ」とは、「リーチ状態」のときに、図柄表示装置３の表示器４に表示する「リーチ映像」の種類であるリーチＢを意味する。また、「リーチＣ」とは、「リーチ状態」のときに、図柄表示装置３の表示器４に表示する「リーチ映像」の種類であるリーチＣを意味する。また、「リーチＤ」とは、「リーチ状態」のときに、図柄表示装置３の表示器４に表示する「リーチ映像」の種類であるリーチＤを意味し、仮停止図柄の表示と再抽選の演出を伴う。また、「「大当たり」表示」」とは、図柄表示装置３の表示器４で変動する３つの図柄が「大当たり図柄」をもって停止した際に図柄表示装置３の表示器４に表示する「大当たり」の文字を意味する。
【００６５】
そして、映像内容は、「完全ハズレ」、「リーチＡ」、「リーチＢ」、「リーチＣ」、「リーチＤ」、「「大当たり」表示」の組合せで構成されている。
【００６６】
次に、図２のＳ２４の大当たり遊技処理について、図７のフローチャートに基づいて説明する。図７に示すように、図２のＳ２４の大当たり遊技処理では、Ｓ１３１において、「大当たり遊技状態」の最中であるか否かを判断している。ここで、「大当たり遊技状態」の最中であると判断する場合には（Ｓ１３１：Ｙｅｓ）、Ｓ１３２に進んで、「大当たり遊技状態」の終了条件が成立するか否かを判断している。
【００６７】
ここで、「大当たり遊技状態」の終了条件について説明する。本実施の形態のパチンコ機１は、第１種のパチンコ機であり、「大当たり遊技状態」とは、例えば、大入賞口６に１０個のパチンコ球が入賞するか、あるいは、所定時間が経過するまで、大入賞口６を開放させ、このとき、Ｖゾーン（図示しない）にパチンコ球が入賞すると次のラウンドに進み、最高で１５ラウンドまで継続して進むことである。従って、「大当たり遊技状態」の終了条件とは、大入賞口６が開放中にＶゾーン（図示しない）にパチンコ球が入賞しなかったこと、あるいは、１５ラウンドまで消化したことである。
【００６８】
そして、「大当たり遊技状態」の終了条件が成立しないと判断する場合には（Ｓ１３２：Ｎｏ）、図２の割込プログラムに戻るが、「大当たり遊技状態」の終了条件が成立すると判断する場合には（Ｓ１３２：Ｙｅｓ）、Ｓ１３３に進んで、表示サブ基板３０に終了画面表示命令を送信し、Ｓ１３４において、「大当たり遊技状態」を終了させた後に、Ｓ１３７に進む。このとき、表示サブ基板３０は、終了画面表示命令を受信すると、「大当たり遊技状態」の最中に図柄表示装置３の表示器４に表示する表示内容を終了させる。そして、Ｓ１３７において、「大当たり図柄」が奇数であるか否かを判断する。具体的に言えば、現在の記憶領域Ｅ０に記憶された図柄カウンタの値が「１」や、「３」，「５」，「７」，「９」，「１１」のいずれかであるか否かを判断する。ここで、現在の記憶領域Ｅ０に記憶された図柄カウンタの値が「１」や、「３」，「５」，「７」，「９」，「１１」のいずれかであると判断する場合には（Ｓ１３７：Ｙｅｓ）、Ｓ１３８に進んで、図１９のメイン制御用ＲＡＭ２３などに確保されたフラグに、確変状態を意味する「１」を代入した後、図２の割込プログラムに戻る。一方、現在の記憶領域Ｅ０に記憶された図柄カウンタの値が「１」や、「３」，「５」，「７」，「９」，「１１」のいずれでもないと判断する場合には（Ｓ１３７：Ｎｏ）、Ｓ１３９に進んで、図１９のメイン制御用ＲＡＭ２３などに確保されたフラグに、通常状態を意味する「０」を代入した後、図２の割込プログラムに戻る。
【００６９】
すなわち、ここで、確変状態とは、大当たりカウンタの値に対する大当たり値が、「７」，「５０」，「１００」，「１５０」，「２００」，「２５０」の６個ある状態をいい（図５のＳ１６６）、遊技者側から見れば、「大当たり図柄」が、「１」「１」「１」，「３」「３」「３」，「５」「５」「５」，「７」「７」「７」，「９」「９」「９」，「１１」「１１」「１１」のいずれかであるときに発生する。また、通常状態とは、大当たりカウンタの値に対する大当たり値が、「７」の１個のみの状態をいい（図５のＳ１６３）、遊技者側から見れば、「大当たり図柄」が、「２」「２」「２」，「４」「４」「４」，「６」「６」「６」，「８」「８」「８」，「１０」「１０」「１０」，「１２」「１２」「１２」のいずれかであるときに発生する。
尚、初期状態では、図１９のメイン制御用ＲＡＭ２３などに確保されたフラグには、通常状態を意味する「０」が代入されている。
【００７０】
一方、「大当たり遊技状態」の最中でないと判断する場合には（Ｓ１３１：Ｎｏ）、Ｓ１３５に進んで、「大当たり図柄」が図柄表示装置３の表示器４に表示されることにより大当たりを報知したか否か、すなわち、図柄の変動を停止させる命令を図１９の表示サブ基板３０に送信した直後か否かを判断している。ここで、図柄の変動を停止させる命令を図１９の表示サブ基板３０に送信した直後でないと判断する場合には（Ｓ１３５：Ｎｏ）、図２の割込プログラムに戻るが、図柄の変動を停止させる命令を図１９の表示サブ基板３０に送信した直後であると判断する場合には（Ｓ１３５：Ｙｅｓ）、Ｓ１３６に進んで、「大当たり遊技状態」を開始させた後に、図２の割込プログラムに戻る。
【００７１】
次に、図２のＳ２５の大当たりカウンタの初期値変更処理について、図８のフローチャートに基づいて説明する。図８に示すように、図２のＳ２５の大当たりカウンタの初期値変更処理では、Ｓ１４１において、大当たりカウンタが１周したか否かを判断している。ここで、大当たりカウンタが１周していないと判断する場合は（Ｓ１４１：Ｎｏ）、図２の割込プログラムに戻るが、大当たりカウンタが１周したと判断する場合は（Ｓ１４１：Ｙｅｓ）、Ｓ１４２に進んで、現在の初期値変更カウンタの値Ｘ１を取得する。そして、Ｓ１４３において、大当たりカウンタを値Ｘ１に設定し、Ｓ１４４に進んで、大当たりカウンタが値Ｘ１を初期値としてカウントアップできるようにした後に、図２の割込プログラムに戻る。
【００７２】
この点、大当たりカウンタは、図２６に示すように、「１」〜「２９９」の範囲を「１」毎にカウントアップしていく円弧カウンタであることから、大当たりカウンタが１周したか否か（Ｓ１４１）は、大当たりカウンタの値が、初期値Ｘ１から「１」を引いた値であるか否かで判断される。
【００７３】
次に、図２のＳ２６の賞球払出処理について、図９のフローチャートに基づいて説明する。図９に示すように、Ｓ１５１において、始動口５にパチンコ球が入賞したか否かを判断している。ここで、始動口５にパチンコ球が入賞したと判断する場合には（Ｓ１５１：Ｙｅｓ）、Ｓ１５２に進んで、賞球サブ基板５０に、始動口５への入賞に対する賞品球数を払い出させる命令を出した後、図２の割込プログラムに戻る。このとき、賞球サブ基板５０は、賞球払出装置６２を介して、所定個数のパチンコ球を払い出す。一方、始動口５にパチンコ球が入賞していないと判断する場合には（Ｓ１５１：Ｎｏ）、Ｓ１５３に進んで、大入賞口６にパチンコ球が入賞したか否かを判断している。ここで、大入賞口６にパチンコ球が入賞していないと判断する場合は（Ｓ１５３：Ｎｏ）、図２の割込プログラムに戻るが、大入賞口６にパチンコ球が入賞したと判断する場合は（Ｓ１５３：Ｙｅｓ）、Ｓ１５４に進んで、賞球サブ基板５０に、大入賞口６への入賞に対する賞品球数を払い出させる命令を出した後、図２の割込プログラムに戻る。このとき、賞球サブ基板５０は、賞球払出装置６２を介して、所定個数のパチンコ球を払い出す。
【００７４】
次に、図２のＳ２７のハズレ図柄処理について、図２４のフローチャートに基づいて説明する。図２４に示すように、Ｓ１７１において、左図柄カウンタの値と中図柄カウンタの値が同じであるか否かを判断する。ここで、左図柄カウンタの値と中図柄カウンタの値が同じであると判断した場合には（Ｓ１７１：Ｙｅｓ）、Ｓ１７２に進んで、中図柄カウンタの値と右図柄カウンタの値が同じであるか否かを判断する。この点、左図柄カウンタと、中図柄カウンタ、右図柄カウンタは、図２０に示すように、「１」〜「１２」の範囲を「１」毎にカウントアップしていく円弧カウンタである。
【００７５】
そして、中図柄カウンタの値と右図柄カウンタの値が同じであると判断する場合には（Ｓ１７２：Ｙｅｓ）、図２の割込プログラムに戻るが、中図柄カウンタの値と右図柄カウンタの値が同じでないと判断する場合には（Ｓ１７２：Ｎｏ）、Ｓ１７３に進んで、左図柄カウンタの値と中図柄カウンタの値と右図柄カウンタの値の組合せを、「ハズレリーチ図柄」として、ハズレリーチ図柄用記憶領域に上書きした後、図２の割込プログラムに戻る。具体的に言えば、例えば、左図柄カウンタの値が「１」、中図柄カウンタの値が「１」、右図柄カウンタの値が「２」の場合は（Ｓ１７１：Ｙｅｓ，Ｓ１７２：Ｎｏ）、「１」「１」「２」を、「ハズレリーチ図柄」として、ハズレリーチ図柄用記憶領域に上書きするが（Ｓ１７３）、左図柄カウンタの値が「１」、中図柄カウンタの値が「１」、右図柄カウンタの値が「１」の場合は（Ｓ１７１：Ｙｅｓ，Ｓ１７２：Ｙｅｓ）、ハズレリーチ図柄用記憶領域に対して何もすることなく、図２の割込プログラムに戻る。
【００７６】
一方、左図柄カウンタの値と中図柄カウンタの値が同じでないと判断した場合には（Ｓ１７１：Ｎｏ）、Ｓ１７４に進んで、左図柄カウンタの値と中図柄カウンタの値と右図柄カウンタの値の組合せを、「完全ハズレ図柄」として、完全ハズレ図柄用記憶領域に上書きした後、図２の割込プログラムに戻る。具体的に言えば、例えば、左図柄カウンタの値が「０」、中図柄カウンタの値が「１」、右図柄カウンタの値が「２」の場合は（Ｓ１７１：Ｎｏ）、「０」「１」「２」を、「完全ハズレ図柄」として、完全ハズレ図柄用記憶領域に上書きする（Ｓ１７４）。
尚、ハズレリーチ図柄用記憶領域や完全ハズレ図柄用記憶領域は、図１９のメイン制御用ＲＡＭ２３などに確保される。
【００７７】
そして、本実施の形態のパチンコ機１では、表示サブ基板３０側において、図２７のフローチャートで示す処理が実行されている。すなわち、先ず、Ｓ２０１において、メイン基板２０から、「最終停止図柄」に関する情報や、変動パターンの番号に関する情報を受信したか否かを判断している。このとき、これらの信号を受信していないと判断する場合には（Ｓ２１０：Ｎｏ）、表示サブ基板３０側のメインプログラムに戻るが、これらの信号を受信していると判断する場合には（Ｓ２１０：Ｎｏ）、Ｓ２０２に進んで、変動パターンの番号に関する情報が「当」（図１０参照）に該当するか否かを判断している。ここで、変動パターンの番号に関する情報が「当」（図１０参照）に該当すると判断する場合には（Ｓ２０２：Ｙｅｓ）、Ｓ２０３に進んで、変動パターンの番号に関する情報に再抽選の演出が含まれているか否かを判断する。ここでは、変動パターンの番号に関する情報が変動パターンの番号「９」を意味するものか否かで判断している。
【００７８】
このとき、変動パターンの番号に関する情報に再抽選の演出が含まれていると判断する場合には（Ｓ２０３：Ｙｅｓ）、Ｓ２０４に進んで、仮停止させる図柄を遊技者が選択した図柄に切り替えるか否かの抽選を行って、Ｓ２０５において、仮停止させる図柄を遊技者が選択した図柄に切り替えるか否かの判断を行う。ここでは、図２９に示すＡのカウンタの値を取得し、その値が「０」〜「２５」のいずれかであれば、仮停止させる図柄を遊技者が選択した図柄に切り替え、その値が「２６」〜「３０」のいずれかであれば、仮停止させる図柄を遊技者が選択した図柄に切り替えない。
【００７９】
尚、図２９に示すＡのカウンタ及び、後述する、図２９に示すＢのカウンタ、図２９に示すＣのカウンタは、図柄表示制御用ＲＡＭ３３に確保されるものであり、表示サブ基板３０側のメインプログラムによって、「０」〜「３０」の範囲を「１」毎にカウントアップしていく円弧カウンタである。また、図２９に示すＡのカウンタ及び、Ｂのカウンタ、Ｃのカウンタの各々に対する当たりとハズレの数値は、  図柄表示制御用ＲＯＭ３２に記憶される。
【００８０】
さらに、遊技者が選択した図柄とは、「１」，「２」，「３」，「４」，「５」，「６」，「７」，「８」，「９」，「１０」，「１１」，「１２」の１２種類の図柄のうち、ボタンスイッチ２０１によって、遊技者が任意に選んだ図柄である。
【００８１】
そして、図２７のＳ２０５において、仮停止させる図柄を遊技者が選択した図柄に切り替えると判断した場合には（Ｓ２０５：Ｙｅｓ）、Ｓ２０６に進んで、仮停止図柄を遊技者が選択した図柄に切り替える設定を行う。そして、Ｓ２０７において、図柄表示装置３の表示器４に表示される３つの図柄の変動を開始させるとともに、遊技者が選択した図柄で仮停止図柄が表示されるように、図柄表示装置３の表示器４の表示内容を制御し、表示サブ基板３０側のメインプログラムに戻る。一方、上述したＳ２０３やＳ２０５において、変動パターンの番号に関する情報に再抽選の演出が含まれていないと判断する場合や（Ｓ２０３：Ｎｏ）、仮停止させる図柄を遊技者が選択した図柄に切り替えると判断しない場合には（Ｓ２０５：Ｎｏ）、Ｓ２０８に進んで、メイン基板２０から受信した変動パターンの番号に関する情報に基づいて仮停止図柄の設定を行った後に、Ｓ２０７に進んで、図柄表示装置３の表示器４に表示される３つの図柄の変動を開始させるとともに、メイン基板２０から指示された仮停止図柄が表示されるように、図柄表示装置３の表示器４の表示内容を制御し、表示サブ基板３０側のメインプログラムに戻る。
【００８２】
また、上述したＳ２０２において、変動パターンの番号に関する情報が「当」（図１０参照）に該当しないと判断する場合には（Ｓ２０２：Ｎｏ）、Ｓ２０９に進んで、変動パターンの番号に関する情報が「ハリ」（図１０参照）に該当するか否かを判断している。ここで、変動パターンの番号に関する情報が「ハリ」（図１０参照）に該当すると判断する場合は（Ｓ２０９：Ｙｅｓ）、Ｓ２１０に進んで、メイン基板２０から受信した「最終停止図柄」に関する情報により、右図柄と左図柄とが遊技者が選択した図柄であるか否かを判断する。ここで、右図柄と左図柄とが遊技者が選択した図柄であると判断する場合には（Ｓ２１０：Ｙｅｓ）、Ｓ２１１に進んで、仮停止させる図柄を遊技者が選択していない図柄に切り替えるか否かの抽選を行って、Ｓ２１２において、仮停止させる図柄を遊技者が選択していない図柄に切り替えるか否かの判断を行う。ここでは、図２９に示すＢのカウンタの値を取得し、その値が「０」〜「２０」のいずれかであれば、仮停止させる図柄を遊技者が選択していない図柄に切り替え、その値が「２１」〜「３０」のいずれかであれば、仮停止させる図柄を遊技者が選択していない図柄に切り替えない。
【００８３】
そして、Ｓ２１２において、仮停止させる図柄を遊技者が選択していない図柄に切り替えると判断した場合には（Ｓ２１２：Ｙｅｓ）、Ｓ２１３に進んで、仮停止図柄を遊技者が選択していない図柄に切り替える設定を行う。そして、Ｓ２０７において、図柄表示装置３の表示器４に表示される３つの図柄の変動を開始させるとともに、遊技者が選択していない図柄で仮停止図柄が表示されるように、図柄表示装置３の表示器４の表示内容を制御し、表示サブ基板３０側のメインプログラムに戻る。一方、上述したＳ２１０やＳ２１２において、右図柄と左図柄とが遊技者が選択した図柄でないと判断する場合や（Ｓ２１０：Ｎｏ）、仮停止させる図柄を遊技者が選択していない図柄に切り替えると判断しない場合には（Ｓ２１２：Ｎｏ）、Ｓ２１４に進んで、メイン基板２０から受信した変動パターンの番号に関する情報に基づいて仮停止図柄の設定を行った後に、Ｓ２０７に進んで、図柄表示装置３の表示器４に表示される３つの図柄の変動を開始させるとともに、メイン基板２０から指示された仮停止図柄が表示されるように、図柄表示装置３の表示器４の表示内容を制御し、表示サブ基板３０側のメインプログラムに戻る。
【００８４】
また、上述したＳ２０９において、変動パターンの番号に関する情報が「ハリ」（図１０参照）に該当すると判断しない場合は（Ｓ２０９：Ｎｏ）、図２８のＳ２１５に進んで、メイン基板２０から受信した「最終停止図柄」に関する情報により、左図柄が遊技者が選択した図柄であるか否かを判断する。ここで、左図柄が遊技者が選択した図柄であると判断する場合には（Ｓ２１５：Ｙｅｓ）、Ｓ２１６に進んで、仮停止させる図柄を遊技者が選択していない図柄に切り替えるか否かの抽選を行って、Ｓ２１７において、仮停止させる図柄を遊技者が選択していない図柄に切り替えるか否かの判断を行う。ここでは、図２９に示すＣのカウンタの値を取得し、その値が「０」〜「１５」のいずれかであれば、仮停止させる図柄を遊技者が選択していない図柄に切り替え、その値が「１６」〜「３０」のいずれかであれば、仮停止させる図柄を遊技者が選択していない図柄に切り替えない。
【００８５】
そして、Ｓ２１７において、仮停止させる図柄を遊技者が選択していない図柄に切り替えると判断した場合には（Ｓ２１７：Ｙｅｓ）、Ｓ２１８に進んで、仮停止図柄を遊技者が選択していない図柄に切り替える設定を行う。そして、Ｓ２２０において、図柄表示装置３の表示器４に表示される３つの図柄の変動を開始させるとともに、遊技者が選択していない図柄で仮停止図柄が表示されるように、図柄表示装置３の表示器４の表示内容を制御し、表示サブ基板３０側のメインプログラムに戻る。一方、上述したＳ２１５やＳ２１７において、左図柄が遊技者が選択した図柄でないと判断する場合や（Ｓ２１５：Ｎｏ）、仮停止させる図柄を遊技者が選択していない図柄に切り替えると判断しない場合には（Ｓ２１７：Ｎｏ）、Ｓ２１９に進んで、メイン基板２０から受信した変動パターンの番号に関する情報に基づいて仮停止図柄の設定を行った後に、Ｓ２２０に進んで、図柄表示装置３の表示器４に表示される３つの図柄の変動を開始させるとともに、メイン基板２０から指示された仮停止図柄が表示されるように、図柄表示装置３の表示器４の表示内容を制御し、表示サブ基板３０側のメインプログラムに戻る。
【００８６】
以上詳細に説明したように、本実施の形態のパチンコ機１では、メイン基板２０において、「１」〜「２９９」の範囲を「１」毎にカウントアップしていく大当たりカウンタの値を（図２のＳ１３）、パチンコ球が始動口５に入賞したタイミングで取得値として確保し（図３のＳ３３）、この取得値が予め定められた大当たり値（図６のテーブル参照）と一致すると判定したときは（図５のＳ１６５，Ｓ１６８）、遊技者に有利な大当たり遊技状態とする。
【００８７】
一方、表示サブ基板３０においては、この判定（図５のＳ１６５，Ｓ１６８）の直後にメイン基板２０から送信される最終停止図柄に関する情報や変動パターンの番号に関する情報に基づいて（図４のＳ８０）、図柄表示装置３の表示器４に、「完全ハズレ」、「リーチＡ」、「リーチＢ」、「リーチＣ」、「リーチＤ」、「「大当たり」表示」の組合せで構成されている種々の映像内容（図１１の映像選択テーブル）を伴って図柄を変動・表示させている。
【００８８】
そして、本実施の形態のパチンコ機１では、表示サブ基板３０は、この判定（図５のＳ１６５，Ｓ１６８）の直後にメイン基板２０から送信される最終停止図柄に関する情報や変動パターンの番号に関する情報に基づいて（図４のＳ８０）、図柄表示装置３の表示器４において、「完全ハズレ」、「リーチＡ」、「リーチＢ」、「リーチＣ」、「リーチＤ」、「「大当たり」表示」の組合せで構成されている種々の映像内容（図１１の映像選択テーブル参照）を伴って変動・表示させる図柄を、仮停止図柄（「途中停止図柄」に相当するもの）と最終停止図柄の２段階で変動・表示させている。さらに、「大当たり遊技状態」となる際の仮停止図柄がボタンスイッチ２０１で選択されたものになる確率を高くする一方（Ｓ２０５：Ｙｅｓ）、「大当たり遊技状態」とならなかった際の仮停止図柄がボタンスイッチ２０１で選択されたものになる確率を低くしている（Ｓ２０５：Ｎｏ）。
【００８９】
さらに、メイン基板２０については、最終停止図柄に関する情報や変動パターンの番号に関する情報を送信する従来の機能があればよいので、メイン基板２０のメイン制御用ＲＯＭ２２やメイン制御用ＲＡＭ２３の記憶容量を圧迫することがなく、さらに、メイン制御用ＲＯＭ２２の内容チェックに関しては、従来と同じ作業で済ませることができる。
【００９０】
尚、本発明は上記実施の形態に限定されるものでなく、その趣旨を逸脱しない範囲で様々な変更が可能である。
例えば、変動パターンの番号が「５」、「６」、「７」、「９」については、図３０に示すような予告テーブルで「当たりの時」のもの（数値は必ずしも図３０と同一ではない）を備え、また、変動パターンの番号が「１」、「２」、「３」、「４」、「８」については、図３０に示すような予告テーブルで「ハズレの時」のもの（数値は必ずしも図３０と同一ではない）を備えれば、遊技者がボタンスイッチ２０１によって任意に選んだ予告Ａ、予告Ｂ、予告Ｃ、予告Ｄを、図柄表示装置３の表示器４に「大当たり図柄」が表示されるまでに、高い確率で、図柄表示装置３の表示器４に表示させることができる。この点、予告Ａ、予告Ｂ、予告Ｃ、予告Ｄのいずれかを図柄表示装置３の表示器４に表示させるかについては、図３１に示す予告カウンタの値をもって行う。この予告カウンタは、図柄表示制御用ＲＡＭ３３に確保されるものであり、表示サブ基板３０側のメインプログラムによって、「０」〜「１００」の範囲を「１」毎にカウントアップしていく円弧カウンタである。また、図３０に示すような予告テーブルは、  図柄表示制御用ＲＯＭ３２に記憶される。
【００９１】
従って、ボタンスイッチ２０１で選択されるものが、予告Ａ、予告Ｂ、予告Ｃ、予告Ｄである場合には、表示サブ基板３０の図柄表示制御用ＲＯＭ３２に備えられた複数の予告テーブル（図３０）を切り替えることにより、「大当たり遊技状態」となる際の予告Ａ、予告Ｂ、予告Ｃ、予告Ｄがボタンスイッチ２０１で選択されたものになる確率を高くしている。従って、「大当たり遊技状態」に発展する可能性の大小を意味する「期待度」の設定を遊技者が参加することができるとともに、異なる遊技性を与えることができる。
【００９２】
また、例えば、図１１の映像選択テーブルに代えて、変動パターンの番号が「５」、「６」、「７」、「９」については、図３２に示すようなリーチ映像テーブルで「当たりの時」のもの（数値は必ずしも図３２と同一ではない）を備え、また、変動パターンの番号が「２」、「３」、「４」、「８」については、図３２に示すようなリーチ映像テーブルで「ハズレの時」のもの（数値は必ずしも図３２と同一ではない）を備えれば、遊技者がボタンスイッチ２０１によって任意に選んだリーチＡ、リーチＢ、リーチＣ、リーチＤの映像内容を、図柄表示装置３の表示器４に「大当たり図柄」が表示されるまでに、高い確率で、図柄表示装置３の表示器４に表示させることができる。この点、リーチＡ、リーチＢ、リーチＣ、リーチＤのいずれかを図柄表示装置３の表示器４に表示させるかについては、図３３に示すリーチ映像カウンタの値をもって行う。このリーチ映像カウンタは、図柄表示制御用ＲＡＭ３３に確保されるものであり、表示サブ基板３０側のメインプログラムによって、「０」〜「１００」の範囲を「１」毎にカウントアップしていく円弧カウンタである。また、図３２に示すようなリーチ映像テーブルは、  図柄表示制御用ＲＯＭ３２に記憶される。
【００９３】
従って、ボタンスイッチ２０１で選択されるものが、「大当たり遊技状態」となる際の映像内容（「完全ハズレ」、「リーチＡ」、「リーチＢ」、「リーチＣ」、「リーチＤ」、「「大当たり」表示」の組合せである場合には、「大当たり遊技状態」となる際の変動パターンの番号の各々に複数のリーチ演出である映像内容（「リーチＡ」、「リーチＢ」、「リーチＣ」、「リーチＤ」）を対応させた図３２のリーチ映像テーブルを表示サブ基板３０の図柄表示制御用ＲＯＭ３２に備えることにより、「大当たり遊技状態」となる際の映像内容（「リーチＡ」、「リーチＢ」、「リーチＣ」、「リーチＤ」）をボタンスイッチ２０１で選択されたものになる確率を高くしている。従って、「大当たり遊技状態」に発展する可能性の大小を意味する「期待度」の設定を遊技者が参加することができるとともに、異なる遊技性を与えることができる。
【００９４】
以上より、ボタンスイッチ２０１で選択されるものは、「大当たり遊技状態」となる際の映像内容（「完全ハズレ」、「リーチＡ」、「リーチＢ」、「リーチＣ」、「リーチＤ」、「「大当たり」表示」の組合せで構成されているもの）や（図３２参照）、後述する予告Ａ、予告Ｂ、予告Ｃ、予告Ｄなどがある（図３０参照）。
【００９５】
【発明の効果】
本発明のパチンコ機では、演出内容又は図柄を選択するための操作ボタンを備え、操作ボタンからの信号を図柄表示制御手段に入力させることにより、大当たり遊技状態となる際の演出内容又は図柄が操作ボタンで選択されたものになる確率を高くしているので、大当たり遊技状態に発展する可能性の大小を意味する「期待度」の設定を遊技者が参加することができるとともに、異なる遊技性を与えることができる。
【図面の簡単な説明】
【図１】本発明の一実施形態によるパチンコ機において、メインプログラムについてのフローチャート図である。
【図２】本発明の一実施形態によるパチンコ機において、割込プログラムについてのフローチャート図である。
【図３】本発明の一実施形態によるパチンコ機において、割込プログラムの始動入賞処理についてのフローチャート図である。
【図４】本発明の一実施形態によるパチンコ機において、割込プログラムの結果報知処理についてのフローチャート図である。
【図５】本発明の一実施形態によるパチンコ機において、割込プログラムの結果報知処理についてのフローチャート図である。
【図６】本発明の一実施形態によるパチンコ機において、通常時の大当たり値と確変時の大当たり値を示したテーブルである。
【図７】本発明の一実施形態によるパチンコ機において、割込プログラムの大当たり遊技処理についてのフローチャート図である。
【図８】本発明の一実施形態によるパチンコ機において、割込プログラムの大当たりカウンタの初期値変更処理についてのフローチャート図である。
【図９】本発明の一実施形態によるパチンコ機において、割込プログラムの賞球払出処理についてのフローチャート図である。
【図１０】本発明の一実施形態によるパチンコ機において、変動パターン決定テーブルを示した図である。
【図１１】本発明の一実施形態によるパチンコ機において、映像選択テーブルを示した図である。
【図１２】本発明の一実施形態によるパチンコ機を示した正面図である。
【図１３】本発明の一実施形態によるパチンコ機において、図柄表示装置の表示器で変動・停止する３つの図柄の種類を示した図である。
【図１４】本発明の一実施形態によるパチンコ機において、図柄表示装置及びその表示器を示した正面図である。
【図１５】本発明の一実施形態によるパチンコ機において、図柄表示装置の表示器で変動・停止する３つの図柄についての所定の組合せを示した図である。
【図１６】本発明の一実施形態によるパチンコ機において、図柄表示装置の表示器で変動・停止する３つの図柄についてリーチ状態のときの様子を示した図である。
【図１７】本発明の一実施形態によるパチンコ機において、５つの記憶領域のデータ保持の仕方、４つの保留ランプの点灯・消灯の仕方、さらに、５つの記憶領域と４つの保留ランプとの関係を示した図である。
【図１８】本発明の一実施形態によるパチンコ機において、５つの記憶領域のデータ保持の仕方、保留ランプの点灯・消灯の仕方、さらに、５つの記憶領域と４つの保留ランプとの関係を示した図である。
【図１９】本発明の一実施形態によるパチンコ機のブロック図である。
【図２０】本発明の一実施形態によるパチンコ機において、図柄カウンタの概念図である。
【図２１】本発明の一実施形態によるパチンコ機において、リーチカウンタの概念図である。
【図２２】本発明の一実施形態によるパチンコ機において、リーチカウンタテーブルの概念図である。
【図２３】本発明の一実施形態によるパチンコ機において、左図柄カウンタと、中図柄カウンタ、右図柄カウンタの概念図である。
【図２４】本発明の一実施形態によるパチンコ機において、割込プログラムのハズレ図柄処理についてのフローチャート図である。
【図２５】本発明の一実施形態によるパチンコ機において、変動パターンカウンタの概念図である。
【図２６】本発明の一実施形態によるパチンコ機において、大当たりカウンタ及び初期値変更カウンタの概念図である。
【図２７】本発明の一実施形態によるパチンコ機において、表示サブ基板側で実行される処理についてのフローチャート図である。
【図２８】本発明の一実施形態によるパチンコ機において、表示サブ基板側で実行される処理についてのフローチャート図である。
【図２９】本発明の一実施形態によるパチンコ機において、Ａのカウンタ及び、Ｂのカウンタ、Ｃのカウンタの概念図である。
【図３０】本発明の一実施形態によるパチンコ機において、予告テーブルの概念図である。
【図３１】本発明の一実施形態によるパチンコ機において、予告カウンタの概念図である。
【図３２】本発明の一実施形態によるパチンコ機において、リーチ映像テーブルの概念図である。
【図３３】本発明の一実施形態によるパチンコ機において、リーチ映像カウンタの概念図である。
【符号の説明】
１  パチンコ機
４  表示器
５  始動口
６  大入賞口
７  左図柄表示領域
８  中図柄表示領域
９  右図柄表示領域
Ｄ１〜Ｄ４  １組のカウンタの値
Ｅ０〜Ｅ４  記憶領域
【図１】
2004275449.tif 000003
【図２】
2004275449.tif 000004
【図３】
2004275449.tif 000005
【図４】
2004275449.tif 000006
【図５】
2004275449.tif 000007
【図６】
2004275449.tif 000008
【図７】
2004275449.tif 000009
【図８】
2004275449.tif 000010
【図９】
2004275449.tif 000011
【図１０】
2004275449.tif 000012
【図１１】
2004275449.tif 000013
【図１２】
2004275449.tif 000014
【図１３】
2004275449.tif 000015
【図１４】
2004275449.tif 000016
【図１５】
2004275449.tif 000017
【図１６】
2004275449.tif 000018
【図１７】
2004275449.tif 000019
【図１８】
2004275449.tif 000020
【図１９】
2004275449.tif 000021
【図２０】
2004275449.tif 000022
【図２１】
2004275449.tif 000023
【図２２】
2004275449.tif 000024
【図２３】
2004275449.tif 000025
【図２４】
2004275449.tif 000026
【図２５】
2004275449.tif 000027
【図２６】
2004275449.tif 000028
【図２７】
2004275449.tif 000029
【図２８】
2004275449.tif 000030
【図２９】
2004275449.tif 000031
【図３０】
2004275449.tif 000032
【図３１】
2004275449.tif 000033
【図３２】
2004275449.tif 000034
【図３３】
2004275449.tif 000035